(57)【要約】      （修正有） 【課題】ペットの飼育や管理のために必要な各種の情報を飼主が漏れなく記録して体系的かつ一元的に管理することができ、また、記録を通じてペットへの愛着をさらに高めてペットとの暮らしをより楽しく豊かにできるペット情報記録ノートを提供する。【解決手段】特定の愛玩動物の属性情報を記入可能な基本情報欄と、愛玩動物の特性や飼育上の留意事項に係る情報を記入可能な飼育情報欄と、愛玩動物の健康管理に係る情報を記入可能な健康管理情報欄と、愛玩動物の緊急時対応に係る情報を記入可能な緊急時情報欄とをそれぞれ順番に配列してなり、また、愛玩動物の写真を入れ替え可能に収納して閲覧できる一つ又は複数の透明な写真ポケットを備えたページを有する。【選択図】図２
0003208748.tif 000002
【実用新案登録請求の範囲】
【請求項１】
特定の愛玩動物の属性情報を記入可能な基本情報欄と、該愛玩動物の特性や飼育上の留意事項に係る情報を記入可能な飼育情報欄と、該愛玩動物の健康管理に係る情報を記入可能な健康管理情報欄と、該愛玩動物の緊急時対応に係る情報を記入可能な緊急時情報欄とを具備してなることを特徴とするペット情報記録ノート。
【請求項２】
前記愛玩動物の写真を入れ替え可能に収納して閲覧できる一つ又は複数の透明な写真ポケットを備えたアルバムページを有することを特徴とする、請求項１に記載のペット情報記録ノート。
【考案の詳細な説明】
【技術分野】
【０００１】
本考案は、飼主が犬・猫等の愛玩動物（以下、「ペット」と記す。）の飼育に関する必要情報を一元的に管理するためのペット情報記録ノートに関する。
【背景技術】
【０００２】
少子高齢化を背景にペットの飼育者は増加している。飼育環境や飼料の栄養の改善向上によりペットの寿命も伸長していることから飼育期間も長期化する傾向にあり、飼主とペットの楽しく豊かな暮らしへの意識や関心も高まっている。動物である以上ペットは個性を有し、個体ごとの特性や年齢に応じたしつけや飼育方法、健康管理が必要とされるが、口がきけず、人間のような公的な生育記録（たとえば母子手帳）や医療記録のないペットの飼育に必要な情報は、基本的に飼主の記憶に依存している。また、飼主自身もペットの飼育にどのような情報が有用であるか十分に認識できていない場合も多い。さらに、ペットは人間の子供と同様に第三者に預けたり預けられたりという機会が多く、適切な飼育や管理のために伝えるべき情報は意外と多い。
【０００３】
従来から、動物病院等ではペットの診療や投与薬剤を記入して記録するノートを飼主に配布している例があるが、その内容はあくまでペットの健康管理に関する情報が主である。また、非特許文献１の「ペットの成長記録ノート」のようなアプリケーションも公開されているが、その内容も成長過程や投薬の記録、あるいは写真や動画等の保存が中心であり、ペットの適切な飼育や管理のための情報を体系的かつ一元的に記録することを目的としたものではなかった。
【非特許文献１】マイクロソフト社「ペットの成長記録ノート」https://www.microsoft.com/ja-jp/office/pipc/template/result.aspx?id=11623
【考案の開示】
【考案が解決しようとする課題】
【０００４】
本考案は、ペットの飼育や管理のために必要な各種の情報を飼主が漏れなく記録して体系的かつ一元的に管理することができ、また、記録を通じてペットへの愛着をさらに高めてペットとの暮らしをより楽しく豊かにできるノートを提供することを目的とする。
【課題を解決するための手段】
【０００５】
本考案は、前記課題を解決するために、以下のような構成を採用したものである。すなわち、本考案に係るペット情報記録ノートは、特定の愛玩動物の属性情報を記入可能な基本情報欄と、該愛玩動物の特性や飼育上の留意事項に係る情報を記入可能な飼育情報欄と、該愛玩動物の健康管理に係る情報を記入可能な健康管理情報欄と、該愛玩動物の緊急時対応に係る情報を記入可能な緊急時情報欄とを具備してなることを特徴とする。
【０００６】
ノートとしての物理的構成は、たとえば無線とじ、糸とじ等の方式により複数の中紙が背に綴じられて製本されたものだけでなく、バインダ方式により複数の中紙が着脱可能に背に綴じられたものも含まれる。
【０００７】
ノートの内容構成のうち、前記基本情報欄の好適な一例としては、ペットの名前（愛称）、生年月日、飼育開始日、性別、種類、毛色、体の特徴、写真などの客観的な情報である。かかる属性並びに特性情報は、万一の行方不明時等において個体識別に役立つほか、動物病院の受診等の手続時等に必要な、忘れてしまいがちな日付の備忘録となる。
【０００８】
前記飼育情報の好適な一例としては、性格やしつけ（の成果）、通常与えている適切な飼料（エサ）、ペットの好む居場所、排泄の場所や方法、体の手入れの方法、散歩（運動）の頻度やその際の注意事項、留守番の条件、外出時の注意事項、普段利用するペット美容室など、飼育の過程で判明しまたは形成されたペット固有の特性情報である。特に、かかる飼育情報は通常、飼主しか具体的には知り得ない情報であり、ペットを第三者に預ける場合には、預かった第三者にとって重要かつ有益な情報となり得るほか、家族で共有することでペットを戸惑わせない飼育をすることに役立つものである。
【０００９】
前記健康管理情報欄の好適な一例としては、ペットの持病やかかりつけの動物病院、ペット保険情報、体重・体型の記録、通院・投薬・予防接種・健康診断の記録等である。人間のように病院間でのカルテ共有が定着していないペットについては、かかる健康管理情報を一元管理することで、飼主の転居や動物病院の転院、第三者へのペットの譲渡等の際に健康管理の継続を容易にすることができる。また、記入欄とは別にペットの種類に応じた一般的な年間の健康管理措置のスケジュール表を掲載しておくことで、つい忘れがちになる予防接種や投薬を適切に実施でき、ペットの健康維持に役立つ。
【００１０】
前記緊急時情報欄の好適な一例としては、災害時等の緊急事態に備えて備蓄しておくべきペット用品や避難所に関する情報等である。震災等の緊急事態への備えはペットについては盲点となりがちであるため、日頃からの準備が望ましい。
【００１１】
本考案に係るペット情報記録ノートには、前記愛玩動物の写真を入れ替え可能に収納して閲覧できる一つ又は複数の透明な写真ポケットを備えたアルバムページをさらに設けることで、ペット固有のアルバムとしての役割も果たすことができる。ペットの成長の分かる写真やペットとの思い出の写真を含めることで、単なる情報記録ノートを超えて飼主とペットの絆を確認でき、ペットへの愛着を高めることができる。
【考案の効果】
【００１２】
本考案は以上のような構成により、飼主である使用者がペットの飼育や管理のために必要な各種の情報を飼主が漏れなく記録して体系的かつ一元的に管理することが可能となる。これにより、飼育や管理の質を向上させて、ペットのＱＯＬ（クオリティオブライフ）を改善できるだけなく、各種の情報を継続的に記録する作業自体を通じて飼主自身がペットへの愛着や精神的な絆を一層強めることで、ペットとの暮らしをより楽しく豊かにできる効果が期待できるものである。
【考案を実施するための最良の形態】
【００１３】
以下、本考案の一実施形態を、図を用いて説明する。図１は、実施形態に係るペット情報記録ノート１の試作品の表紙を撮影した写真である。サイズは任意であるが、携帯の便利さと記入欄の大きさの確保の観点からＢ５版かそれよりもやや小さいサイズが好適である。また、本実施形態ではホチキス背綴じとしている。
【００１４】
図２は、目次ページの例である。本実施形態のコンテンツ（情報記入欄）は大きく次の５つから構成している。すなわち、「うちの子のこと」が基本情報欄１に、「うちの子のくらし」が飼育情報欄２に、「うちの子の健康」が健康管理情報欄３に、「うちの子のアルバム」がアルバムページ４に、「うちの子のもしも」が緊急時情報欄５に、それぞれ対応している。
【００１５】
図３は、基本情報欄１「うちの子のこと」に係るページの一例を示す。「うちの子のプロフィール」として、愛玩動物の名前、愛称、生年月日、飼育開始日（家族になった日）、性別、血液型、去勢／不妊の区分、種類、毛色、血統書の有無、体の特徴といった基本的な属性のほか、万一行方不明となった場合等に発見・保護に役立つ登録番号（観察番号）、埋め込みマイクロチップの登録／未登録、首輪の有無と特徴、リード・ハーネスの有無と色、迷子札の有無と内容、さらに、「家族になったきっかけ」を記入する欄を設けている。また、「飼い主について」として、名前、家族名、住所、電話、携帯電話、メールアドレスを記入する欄を設けている。
【００１６】
図４から図６までは、飼育情報欄２「うちの子のくらし」に係るページの一例を示す。図４に示した飼育情報欄２（その１）ページには、ペットの特性に係る情報について、「性格・しつけについて」として、性格、好きなもの・こと・人・場所、苦手なもの・こと・人・場所、他人への態度、他の犬・猫への態度、ほめる時の言葉など、叱るときの言葉など、できるしつけの号令、家族の役割分担、誤食しやすいもの、困ったクセ等を記入できる欄を設けている。また、ペットの飼育上の留意事項に係る情報について、「ごはんについて」として、給餌の回数・時間、療法食を与えている場合の種類・メーカー名、お気に入りのごはんや副食、きらいなごはん、アレルギーの有無、給餌に使用する食器類等を記入できる欄を設けている。
【００１７】
図５に示した飼育情報欄２（その２）ページには、「居場所について」として、室内外の居場所（主な飼育場所）、お気に入りの場所、寝る場所、使っている寝具、寝る時間・起きる時間等を、「トイレについて」として、トイレの場所（室内・室外）、トイレの種類、排尿排便の回数、トイレ掃除の頻度、排泄時の注意事項等を、「お散歩について」として、回数・時間、雨の日の散歩の可否、リード等の種類、散歩中の排便の有無、散歩時の持ち物、散歩時の注意事項、散歩コース（地図）を、それぞれ記入できる欄を設けている。
【００１８】
図６に示した飼育情報欄２（その３）ページには、「お留守番について」として、留守番できる時間・日数とそれを超えて留守をする場合の対応のほか、ペットを預けられる知人・友人、ペットシッター・ペットホテルの情報等を、「お出かけについて」として、外出に対するペットの性向、外出時のペットの入れ物・給餌給水、車酔いの有無等の注意事項を、「お手入れについて」として、ブラッシング・爪切り・耳掃除・シャンプー・カット等の可否及びサイクル、ペット美容室の情報を、それぞれ記入できる欄を設けている。
【００１９】
以上のようなペットの特性や飼育場の留意事項は、基本的にペットと親密な飼主やその家族しか知り得ない情報であるため、ペットを第三者に預けたり留守中の世話を頼んだりする場合に、第三者がペット情報記録ノートを参照することでペットにスムースに対応するための有益な情報となり得る。
【００２０】
また、図７に示した飼育情報欄２（その４）は「預かり連絡帳」ページであり、ペットを第三者に預けたり世話を頼んだりする場合に、飼主の申し送り事項と第三者からの報告事項を記入できる欄を設けている。これにより、飼主は、最新の特性情報を第三者に伝達でき、第三者から自分の留守中のペットの状態について報告を受けられるので、安心感を得ることができる。
【００２１】
図８から図１１までは、健康管理情報欄３「うちの子の健康」に係るページの一例を示す。図８に示した健康管理情報欄３（その１）ページには、「健康管理について」として、ペット固有の健康のバロメーター、持病の有無と病名・処置等を、「動物病院について」として、かかりつけあるいは時間外・緊急時の動物病院、通院方法、ペット保険情報等を、「体重・体型について」として、理想体重・体型と、計測記録を記入できる欄を設けている。図９に示した健康管理情報欄３（その２）ページには、「予防接種について」として、予防接種の日付や種類の記録を、「ノミ・ダニ・フィラリア症予防について」として、投薬日や予防薬の種類の記録を、図１０に示した健康管理情報欄３（その３）ページには、「定期健康診断について」として、診断日や診断内容等の記録を、「常備薬について」として、投薬の開始・終了日、薬剤名、回数・分量、投薬方法等の記録を、それぞれ記入できる欄を設けている。また、図１１に示した健康管理情報欄３（その４）ページには、「通院カルテ」として、発症日や発症場所、発症時の様子、受診日、病院名、診断・検査記録、処置内容・処方薬、注意事項、経過を記録できる欄を設けている。
【００２２】
かかる健康管理情報２を記録、管理することで、飼主が適切にペットの健康管理を行えるだけでなく、飼主の転居等によりかかりつけの動物病院を転院した場合には、獣医師がペットの健康状態や既往症等を的確に把握できる。また、ペットを第三者に譲渡する場合にはペット情報記録ノートをともに引き渡すことで、新たな飼主にペットの健康管理を適切に引き継げる。
【００２３】
図１２は、アルバムページ４の一例を示す。「うちの子のアルバム」として、写真を入れ替え可能に収納して閲覧できる透明な写真ポケットＰと、コメント欄Ｃを設けており、アルバムページ４は複数ページに渡って設けることができる。飼主が写真ポケットＰにペットの写真を入れてコメント欄Ｃに写真にまつわるエピソードを記入し、これを蓄積することができる。これによりペット情報記録ノートを、単なる情報記録媒体としてだけでなく、ペット固有のコメント付写真アルバムとすることができる。
【００２４】
最後に、図１３は、緊急時情報欄５「うちの子のもしも」に係るページの一例を示す。「災害の備え」として、備蓄しておくもの、避難所の住所・連絡先・地図を記入できる欄を設けているほか、犬・猫のそれぞれに応じて避難を想定して気をつけておく事項を掲載している。また、「もしものお願い」として、万一飼主がペットの飼育が困難になった場合に一時的な飼育を頼める人や施設、あるいはペットを引き取って飼育してくれる人や施設の情報や、ペットが迷子になった場合に連絡すべき最寄りの行政機関の連絡先を記入できる欄を設けている。
【００２５】
以上、本考案に係るペット情報記録ノートの実施形態について、その構成を例示して詳細に説明したが、本考案は上記実施形態に限定されるものではなく、本考案の技術的思想の範囲内において改良又は変更が可能であり、それらは本考案の技術的範囲に属するものである。
【産業上の利用可能性】
【００２６】
本考案に係るペット情報記録ノートは、飼主への直接販売のほか、ペットショップ、ブリーダー、ペット美容室、動物病院等を通じた頒布による普及の可能性を有する。また、動物愛護団体や教育機関、行政機関等による動物の愛護・保護活動のツールとしても利用可能である。
【００２７】
また、本考案に係るペット情報記録ノートは、パソコンやスマートフォン・タブレット等の携帯情報端末上で動作可能なアプリケーションソフトウェア化することも可能である。
【００２８】
たとえば、特定の愛玩動物の属性並びに特性に係る情報データを入力／表示／更新可能な基本情報領域と、該愛玩動物の飼育上の留意事項に係る情報データを入力／表示／更新可能な飼育情報領域と、該愛玩動物の健康管理に係る情報データを入力／表示／更新可能な健康管理情報領域と、該愛玩動物の緊急時対応に係る情報データを入力／表示／更新可能な緊急時情報領域とを具備し、前記コンピュータまたは携帯情報端末に入力した前記愛玩動物の画像データまたは動画データを選択して表示／更新可能な画像記憶領域をさらに有することを特徴とするペット情報管理アプリケーションプログラムとして構成可能である。
【００２９】
そして、前記各情報領域に記憶された情報データから任意の情報データを選択し、インターネット経由またはブルートゥース（登録商標）等の無線通信手段を介して他のコンピュータまたは携帯情報端末との間で送受信または共有可能とすることも可能である。かかる構成によれば、たとえば飼主がアプリケーションソフトウェアから入力したペットの情報データを、ペットを預かった第三者が自己のコンピュータあるいは携帯情報端末から照会したり、双方の携帯情報端末の間でデータ共有することが可能となる。
【図面の簡単な説明】
【００３０】
【図１】本考案の実施形態（試作品）の表紙写真
【図２】実施形態の目次ページの一例
【図３】実施形態の基本情報欄１に係るページの一例
【図４】実施形態の飼育情報欄２に係るページ（その１）の一例
【図５】実施形態の飼育情報欄２に係るページ（その２）の一例
【図６】実施形態の飼育情報欄２に係るページ（その３）の一例
【図７】実施形態の飼育情報欄２に係るページ（その４）の一例
【図８】実施形態の健康管理情報欄３に係るページ（その１）の一例
【図９】実施形態の健康管理情報欄３に係るページ（その２）の一例
【図１０】実施形態の健康管理情報欄３に係るページ（その３）の一例
【図１１】実施形態の健康管理情報欄３に係るページ（その４）の一例
【図１２】実施形態のアルバムページ４に係るページの一例
【図１３】実施形態の緊急時情報欄５に係るページの一例
【符号の説明】
【００３１】
Ｐ    写真ポケット
Ｃ    コメント欄
【図１】
0003208748.tif 000003
【図２】
0003208748.tif 000004
【図３】
0003208748.tif 000005
【図４】
0003208748.tif 000006
【図５】
0003208748.tif 000007
【図６】
0003208748.tif 000008
【図７】
0003208748.tif 000009
【図８】
0003208748.tif 000010
【図９】
0003208748.tif 000011
【図１０】
0003208748.tif 000012
【図１１】
0003208748.tif 000013
【図１２】
0003208748.tif 000014
【図１３】
0003208748.tif 000015
【手続補正書】
【提出日】平成28年11月28日(2016.11.28)
【手続補正１】
【補正対象書類名】実用新案登録請求の範囲
【補正対象項目名】全文
【補正方法】変更
【補正の内容】
【実用新案登録請求の範囲】
【請求項１】
特定の愛玩動物の属性情報を記入可能な基本情報欄と、該愛玩動物の特性や飼育上の留意事項に係る情報を記入可能な飼育情報欄と、該愛玩動物の健康管理に係る情報を記入可能な健康管理情報欄と、該愛玩動物の緊急時対応に係る情報を記入可能な緊急時情報欄とを、それぞれ記載の順番に配列してなることを特徴とするペット情報記録ノート。
【請求項２】
前記愛玩動物の写真を入れ替え可能に収納して閲覧できる一つ又は複数の透明な写真ポケットを備えたアルバムページを有することを特徴とする、請求項１に記載のペット情報記録ノート。
【手続補正２】
【補正対象書類名】明細書
【補正対象項目名】全文
【補正方法】変更
【補正の内容】
【考案の詳細な説明】
【技術分野】
【０００１】
本考案は、飼主が犬・猫等の愛玩動物（以下、「ペット」と記す。）の飼育に関する必要情報を一元的に管理するためのペット情報記録ノートに関する。
【背景技術】
【０００２】
少子高齢化を背景にペットの飼育者は増加している。飼育環境や飼料の栄養の改善向上によりペットの寿命も伸長していることから飼育期間も長期化する傾向にあり、飼主とペットの楽しく豊かな暮らしへの意識や関心も高まっている。動物である以上ペットは個性を有し、個体ごとの特性や年齢に応じたしつけや飼育方法、健康管理が必要とされるが、口がきけず、人間のような公的な生育記録（たとえば母子手帳）や医療記録のないペットの飼育に必要な情報は、基本的に飼主の記憶に依存している。また、飼主自身もペットの飼育にどのような情報が有用であるか十分に認識できていない場合も多い。さらに、ペットは人間の子供と同様に第三者に預けたり預けられたりという機会が多く、適切な飼育や管理のために伝えるべき情報は意外と多い。
【０００３】
従来から、動物病院等ではペットの診療や投与薬剤を記入して記録するノートを飼主に配布している例があるが、その内容はあくまでペットの健康管理に関する情報が主である。また、非特許文献１の「ペットの成長記録ノート」のようなアプリケーションも公開されているが、その内容も成長過程や投薬の記録、あるいは写真や動画等の保存が中心であり、ペットの適切な飼育や管理のための情報を体系的かつ一元的に記録することを目的としたものではなかった。
【非特許文献１】マイクロソフト社「ペットの成長記録ノート」https://www.microsoft.com/ja-jp/office/pipc/template/result.aspx?id=11623
【考案の開示】
【考案が解決しようとする課題】
【０００４】
本考案は、ペットの飼育や管理のために必要な各種の情報を飼主が漏れなく記録して体系的かつ一元的に管理することができ、また、記録を通じてペットへの愛着をさらに高めてペットとの暮らしをより楽しく豊かにできるノートを提供することを目的とする。
【課題を解決するための手段】
【０００５】
本考案は、前記課題を解決するために、以下のような構成を採用したものである。すなわち、本考案に係るペット情報記録ノートは、特定の愛玩動物の属性情報を記入可能な基本情報欄と、該愛玩動物の特性や飼育上の留意事項に係る情報を記入可能な飼育情報欄と、該愛玩動物の健康管理に係る情報を記入可能な健康管理情報欄と、該愛玩動物の緊急時対応に係る情報を記入可能な緊急時情報欄とを、それぞれ記載の順番に配列してなることを特徴とする。
【０００６】
ノートとしての物理的構成は、たとえば無線とじ、糸とじ等の方式により複数の中紙が背に綴じられて製本されたものだけでなく、バインダ方式により複数の中紙が着脱可能に背に綴じられたものも含まれる。
【０００７】
ノートの内容構成のうち、前記基本情報欄の好適な一例としては、ペットの名前（愛称）、生年月日、飼育開始日、性別、種類、毛色、体の特徴、写真などの客観的な情報である。かかる属性並びに特性情報は、万一の行方不明時等において個体識別に役立つほか、動物病院の受診等の手続時等に必要な、忘れてしまいがちな日付の備忘録となる。
【０００８】
前記飼育情報の好適な一例としては、性格やしつけ（の成果）、通常与えている適切な飼料（エサ）、ペットの好む居場所、排泄の場所や方法、体の手入れの方法、散歩（運動）の頻度やその際の注意事項、留守番の条件、外出時の注意事項、普段利用するペット美容室など、飼育の過程で判明しまたは形成されたペット固有の特性情報である。特に、かかる飼育情報は通常、飼主しか具体的には知り得ない情報であり、ペットを第三者に預ける場合には、預かった第三者にとって重要かつ有益な情報となり得るほか、家族で共有することでペットを戸惑わせない飼育をすることに役立つものである。
【０００９】
前記健康管理情報欄の好適な一例としては、ペットの持病やかかりつけの動物病院、ペット保険情報、体重・体型の記録、通院・投薬・予防接種・健康診断の記録等である。人間のように病院間でのカルテ共有が定着していないペットについては、かかる健康管理情報を一元管理することで、飼主の転居や動物病院の転院、第三者へのペットの譲渡等の際に健康管理の継続を容易にすることができる。また、記入欄とは別にペットの種類に応じた一般的な年間の健康管理措置のスケジュール表を掲載しておくことで、つい忘れがちになる予防接種や投薬を適切に実施でき、ペットの健康維持に役立つ。
【００１０】
前記緊急時情報欄の好適な一例としては、災害時等の緊急事態に備えて備蓄しておくべきペット用品や避難所に関する情報等である。震災等の緊急事態への備えはペットについては盲点となりがちであるため、日頃からの準備が望ましい。
【００１１】
本考案に係るペット情報記録ノートには、前記愛玩動物の写真を入れ替え可能に収納して閲覧できる一つ又は複数の透明な写真ポケットを備えたアルバムページをさらに設けることで、ペット固有のアルバムとしての役割も果たすことができる。ペットの成長の分かる写真やペットとの思い出の写真を含めることで、単なる情報記録ノートを超えて飼主とペットの絆を確認でき、ペットへの愛着を高めることができる。
【考案の効果】
【００１２】
本考案は以上のような構成により、飼主である使用者がペットの飼育や管理のために必要な各種の情報を飼主が漏れなく記録して体系的かつ一元的に管理することが可能となる。これにより、飼育や管理の質を向上させて、ペットのＱＯＬ（クオリティオブライフ）を改善できるだけなく、各種の情報を継続的に記録する作業自体を通じて飼主自身がペットへの愛着や精神的な絆を一層強めることで、ペットとの暮らしをより楽しく豊かにできる効果が期待できるものである。
【考案を実施するための最良の形態】
【００１３】
以下、本考案の一実施形態を、図を用いて説明する。図１は、実施形態に係るペット情報記録ノート１の試作品の表紙を撮影した写真である。サイズは任意であるが、携帯の便利さと記入欄の大きさの確保の観点からＢ５版かそれよりもやや小さいサイズが好適である。また、本実施形態ではホチキス背綴じとしている。
【００１４】
図２は、目次ページの例である。本実施形態のコンテンツ（情報記入欄）は大きく次の５つから構成している。すなわち、「うちの子のこと」が基本情報欄１に、「うちの子のくらし」が飼育情報欄２に、「うちの子の健康」が健康管理情報欄３に、「うちの子のアルバム」がアルバムページ４に、「うちの子のもしも」が緊急時情報欄５に、それぞれ対応しており、それぞれ記載の順番に配列したページ構成としている。
【００１５】
図３は、基本情報欄１「うちの子のこと」に係るページの一例を示す。「うちの子のプロフィール」として、愛玩動物の名前、愛称、生年月日、飼育開始日（家族になった日）、性別、血液型、去勢／不妊の区分、種類、毛色、血統書の有無、体の特徴といった基本的な属性のほか、万一行方不明となった場合等に発見・保護に役立つ登録番号（観察番号）、埋め込みマイクロチップの登録／未登録、首輪の有無と特徴、リード・ハーネスの有無と色、迷子札の有無と内容、さらに、「家族になったきっかけ」を記入する欄を設けている。また、「飼い主について」として、名前、家族名、住所、電話、携帯電話、メールアドレスを記入する欄を設けている。
【００１６】
図４から図６までは、飼育情報欄２「うちの子のくらし」に係るページの一例を示す。図４に示した飼育情報欄２（その１）ページには、ペットの特性に係る情報について、「性格・しつけについて」として、性格、好きなもの・こと・人・場所、苦手なもの・こと・人・場所、他人への態度、他の犬・猫への態度、ほめる時の言葉など、叱るときの言葉など、できるしつけの号令、家族の役割分担、誤食しやすいもの、困ったクセ等を記入できる欄を設けている。また、ペットの飼育上の留意事項に係る情報について、「ごはんについて」として、給餌の回数・時間、療法食を与えている場合の種類・メーカー名、お気に入りのごはんや副食、きらいなごはん、アレルギーの有無、給餌に使用する食器類等を記入できる欄を設けている。
【００１７】
図５に示した飼育情報欄２（その２）ページには、「居場所について」として、室内外の居場所（主な飼育場所）、お気に入りの場所、寝る場所、使っている寝具、寝る時間・起きる時間等を、「トイレについて」として、トイレの場所（室内・室外）、トイレの種類、排尿排便の回数、トイレ掃除の頻度、排泄時の注意事項等を、「お散歩について」として、回数・時間、雨の日の散歩の可否、リード等の種類、散歩中の排便の有無、散歩時の持ち物、散歩時の注意事項、散歩コース（地図）を、それぞれ記入できる欄を設けている。
【００１８】
図６に示した飼育情報欄２（その３）ページには、「お留守番について」として、留守番できる時間・日数とそれを超えて留守をする場合の対応のほか、ペットを預けられる知人・友人、ペットシッター・ペットホテルの情報等を、「お出かけについて」として、外出に対するペットの性向、外出時のペットの入れ物・給餌給水、車酔いの有無等の注意事項を、「お手入れについて」として、ブラッシング・爪切り・耳掃除・シャンプー・カット等の可否及びサイクル、ペット美容室の情報を、それぞれ記入できる欄を設けている。
【００１９】
以上のようなペットの特性や飼育場の留意事項は、基本的にペットと親密な飼主やその家族しか知り得ない情報であるため、ペットを第三者に預けたり留守中の世話を頼んだりする場合に、第三者がペット情報記録ノートを参照することでペットにスムースに対応するための有益な情報となり得る。
【００２０】
また、図７に示した飼育情報欄２（その４）は「預かり連絡帳」ページであり、ペットを第三者に預けたり世話を頼んだりする場合に、飼主の申し送り事項と第三者からの報告事項を記入できる欄を設けている。これにより、飼主は、最新の特性情報を第三者に伝達でき、第三者から自分の留守中のペットの状態について報告を受けられるので、安心感を得ることができる。
【００２１】
図８から図１１までは、健康管理情報欄３「うちの子の健康」に係るページの一例を示す。図８に示した健康管理情報欄３（その１）ページには、「健康管理について」として、ペット固有の健康のバロメーター、持病の有無と病名・処置等を、「動物病院について」として、かかりつけあるいは時間外・緊急時の動物病院、通院方法、ペット保険情報等を、「体重・体型について」として、理想体重・体型と、計測記録を記入できる欄を設けている。図９に示した健康管理情報欄３（その２）ページには、「予防接種について」として、予防接種の日付や種類の記録を、「ノミ・ダニ・フィラリア症予防について」として、投薬日や予防薬の種類の記録を、図１０に示した健康管理情報欄３（その３）ページには、「定期健康診断について」として、診断日や診断内容等の記録を、「常備薬について」として、投薬の開始・終了日、薬剤名、回数・分量、投薬方法等の記録を、それぞれ記入できる欄を設けている。また、図１１に示した健康管理情報欄３（その４）ページには、「通院カルテ」として、発症日や発症場所、発症時の様子、受診日、病院名、診断・検査記録、処置内容・処方薬、注意事項、経過を記録できる欄を設けている。
【００２２】
かかる健康管理情報２を記録、管理することで、飼主が適切にペットの健康管理を行えるだけでなく、飼主の転居等によりかかりつけの動物病院を転院した場合には、獣医師がペットの健康状態や既往症等を的確に把握できる。また、ペットを第三者に譲渡する場合にはペット情報記録ノートをともに引き渡すことで、新たな飼主にペットの健康管理を適切に引き継げる。
【００２３】
図１２は、アルバムページ４の一例を示す。「うちの子のアルバム」として、写真を入れ替え可能に収納して閲覧できる透明な写真ポケットＰと、コメント欄Ｃを設けており、アルバムページ４は複数ページに渡って設けることができる。飼主が写真ポケットＰにペットの写真を入れてコメント欄Ｃに写真にまつわるエピソードを記入し、これを蓄積することができる。これによりペット情報記録ノートを、単なる情報記録媒体としてだけでなく、ペット固有のコメント付写真アルバムとすることができる。
【００２４】
最後に、図１３は、緊急時情報欄５「うちの子のもしも」に係るページの一例を示す。「災害の備え」として、備蓄しておくもの、避難所の住所・連絡先・地図を記入できる欄を設けているほか、犬・猫のそれぞれに応じて避難を想定して気をつけておく事項を掲載している。また、「もしものお願い」として、万一飼主がペットの飼育が困難になった場合に一時的な飼育を頼める人や施設、あるいはペットを引き取って飼育してくれる人や施設の情報や、ペットが迷子になった場合に連絡すべき最寄りの行政機関の連絡先を記入できる欄を設けている。
【００２５】
以上、本考案に係るペット情報記録ノートの実施形態について、その構成を例示して詳細に説明したが、本考案は上記実施形態に限定されるものではなく、本考案の技術的思想の範囲内において改良又は変更が可能であり、それらは本考案の技術的範囲に属するものである。
【産業上の利用可能性】
【００２６】
本考案に係るペット情報記録ノートは、飼主への直接販売のほか、ペットショップ、ブリーダー、ペット美容室、動物病院等を通じた頒布による普及の可能性を有する。また、動物愛護団体や教育機関、行政機関等による動物の愛護・保護活動のツールとしても利用可能である。
【００２７】
また、本考案に係るペット情報記録ノートは、パソコンやスマートフォン・タブレット等の携帯情報端末上で動作可能なアプリケーションソフトウェア化することも可能である。
【００２８】
たとえば、特定の愛玩動物の属性並びに特性に係る情報データを入力／表示／更新可能な基本情報領域と、該愛玩動物の飼育上の留意事項に係る情報データを入力／表示／更新可能な飼育情報領域と、該愛玩動物の健康管理に係る情報データを入力／表示／更新可能な健康管理情報領域と、該愛玩動物の緊急時対応に係る情報データを入力／表示／更新可能な緊急時情報領域とを具備し、前記コンピュータまたは携帯情報端末に入力した前記愛玩動物の画像データまたは動画データを選択して表示／更新可能な画像記憶領域をさらに有することを特徴とするペット情報管理アプリケーションプログラムとして構成可能である。
【００２９】
そして、前記各情報領域に記憶された情報データから任意の情報データを選択し、インターネット経由またはブルートゥース（登録商標）等の無線通信手段を介して他のコンピュータまたは携帯情報端末との間で送受信または共有可能とすることも可能である。かかる構成によれば、たとえば飼主がアプリケーションソフトウェアから入力したペットの情報データを、ペットを預かった第三者が自己のコンピュータあるいは携帯情報端末から照会したり、双方の携帯情報端末の間でデータ共有することが可能となる。
【図面の簡単な説明】
【００３０】
【図１】本考案の実施形態（試作品）の表紙写真
【図２】実施形態の目次ページの一例
【図３】実施形態の基本情報欄１に係るページの一例
【図４】実施形態の飼育情報欄２に係るページ（その１）の一例
【図５】実施形態の飼育情報欄２に係るページ（その２）の一例
【図６】実施形態の飼育情報欄２に係るページ（その３）の一例
【図７】実施形態の飼育情報欄２に係るページ（その４）の一例
【図８】実施形態の健康管理情報欄３に係るページ（その１）の一例
【図９】実施形態の健康管理情報欄３に係るページ（その２）の一例
【図１０】実施形態の健康管理情報欄３に係るページ（その３）の一例
【図１１】実施形態の健康管理情報欄３に係るページ（その４）の一例
【図１２】実施形態のアルバムページ４に係るページの一例
【図１３】実施形態の緊急時情報欄５に係るページの一例
【符号の説明】
【００３１】
Ｐ    写真ポケット
Ｃ    コメント欄